(57)【要約】      （修正有）【課題】お墓に隣接され、新たに亡くなった人の戒名などを簡単に刻印することが出来る法名碑を提供する。【解決手段】法名碑１は台座２の上に載置され、その表面９には複数枚の法名板８ａ，８ｂ，８ｃ・・をネジ止めして取付け、該法名板は法名碑１と同じ材質の石で構成された細長い板状体で、必要に応じて法名板を取外して亡くなった人の戒名、享年、逝去した年月日などを刻印し、この法名板を再び法名碑１の所定の位置に取付けることが出来る。【選択図】図１
0003144344.tif 000002
【実用新案登録請求の範囲】
【請求項１】
お墓に隣接される法名碑において、該法名碑は台座の上に載置され、その表面には複数枚の法名板をネジ止めして取付け、該法名板は法名碑と同じ材質の石で構成された細長い板状体で、必要に応じて法名板を取外して亡くなった人の戒名、享年、逝去した年月日などを刻印し、この法名板を再び法名碑の所定の位置に取付けることが出来る構造としたことを特徴とする法名碑。
【請求項２】
法名碑は台座に載って設置され、この台座からアンカーを起立して法名碑に設けた穴に嵌め、又基礎からアンカーを起立すると共にこのアンカーは台座を貫通すると共に法名碑の穴まで達し、さらに台座と法名碑の間にはボンドを塗布して固定し、上記法名碑の表面には複数枚の法名板をネジ止めして取付け、該法名板は法名碑と同じ材質の石で構成された細長い板状体で、必要に応じて法名板を取外して亡くなった人の戒名、享年、逝去した年月日などを刻印し、この法名板を再び法名碑の所定の位置に取付けることが出来る構造としたことを特徴とする法名碑。
【請求項３】
法名碑にはネジを埋め込んで固定し、このネジを法名板に設けた穴に嵌めると共に、ネジ先端にナットを螺合してネジ止めした請求項１、又は請求項２記載の法名碑。
【考案の詳細な説明】
【技術分野】
【０００１】
本考案は戒名を逐次刻印(追加彫り)することが出来る法名碑に関するものである。
【背景技術】
【０００２】
従来から、墓地にはお墓と対を成して法名碑(墓標)が設置されている。すなわち、お墓と法名碑は１セットとして組み合わされ、該法名碑には故人の戒名、享年などが刻印されている。ところで、新に亡くなって該法名碑に戒名などを追加刻印する場合、該法名碑を台座から取外して運び出し、所定の作業場にて法名碑の表面に追加刻印しなくてはならない。
【０００３】
法名碑は石で構成されているために重量が重くて壊れ易く、戒名、逝去した年月日、享年などを書き足す場合においても、その取り扱いに充分に注意をしなければならない。そのために、法名碑の書き足しは、例えば、専門の石屋が墓地に出向いて法名碑に戒名等を刻印して書き足したり、或いは、専門の運送業者に依頼して法名碑を作業所に輸送して書き足しを行い、その後、刻印した法名碑を再び墓地に輸送して設置している。それ故に、法名碑の書き足しには余分な費用がかかり、その書き足し費用は高額になる問題がある。
【０００４】
特開２００３−２１３９６９号に係る「墓 標」は、墓誌の書き足しを容易に行うことができる墓標である。すなわち、墓地に設置される墓標本体と、この墓標本体に装着される墓誌プレートとから構成され、墓誌プレートが墓標本体に着脱自在に装着される構造としている。そこで、墓標本体には、墓誌プレートを挿入するための挿入開口と、挿入開口から延びる収容部が設けられているとともに、収容部に収容された墓誌プレートの少なくとも片面を露出するための表示開口が設けられている。
【０００５】
特開２００３−２０６６４９号に係る「墓誌碑」は、表示面に表示された戒名等を柱状体の列設状態でできるだけ多く見ることができるようにするとともに、より一層表示量の増加を図ることが出来る構造としている。
すなわち、石製の枠体と、枠体により形成される空間に軸線を上下方向にして列設され戒名等が刻設される表示面を有した石製の複数の柱状体とを備え、各柱状体を３つの表示面を有する正三角柱状に形成し、これらの柱状体を軸線を中心に回転可能に枠体に支持している。
【０００６】
上記正三角形断面の柱状体を複数本備えることで、多くの戒名などを刻印することが出来る。しかし、新に亡くなった人の戒名を柱状体表面に刻印することは容易でなく、該柱状体を枠体から取外す作業は簡単ではない。
【特許文献１】特開２００３−２１３９６９号に係る「墓 標」
【特許文献２】特開２００３−２０６６４９号に係る「墓誌碑」
【考案の開示】
【考案が解決しようとする課題】
【０００７】
このように、従来の法名碑には上記のごとき問題がある。本考案が解決しようとする課題はこの問題点であり、大きくて重い法名碑を取外して運び出すことなく、亡くなった故人の戒名を手軽に追加刻印することが出来る法名碑を提供する。一方では大きな地震が起きても転倒することのない耐震強度を備えた法名碑を提供する。
【課題を解決するための手段】
【０００８】
本発明の法名碑は台座の上に設置されるが、単に載置されるだけではなく、アンカーによって連結している。台座から起立する複数本のアンカーは法名碑に設けた穴に嵌入している。又、台座が載るコンクリート基礎からも複数本のアンカーを起立し、このアンカーは台座を貫通して法名碑に設けた穴に嵌っている。すなわち、台座から起立するアンカーと基礎から起立して台座を貫通するアンカーにて連結された据付構造としている。又、台座と法名碑の間にはボンドが塗布されて固着されている。
【０００９】
一方、本考案の法名碑の表面には複数枚の法名板が配列して取付けられている。すなわち、法名板は細長い板状体とし、その両端にてネジ止めされていて、必要に応じて法名板を取外し出来る取付け構造としている。すなわち、該法名板の両端がネジ止めされ、ネジを弛めることで取外しでき、戒名や逝去した年月日、享年を刻印して取付けすることが出来る。ここで、法名板は法名碑と同一材質の石材が用いられている。
【考案の効果】
【００１０】
本考案の法名碑は基礎に設置した台座の上に載置され、そして基礎から起立する複数本のアンカーが台座を貫通して法名碑の穴に嵌り、又台座から起立する複数本のアンカーが法名碑に設けた穴に嵌入している。従って、大きな地震があっても法名碑が台座から転倒して落下することはなく、雪の重みで倒れることもない。そして、法名碑は台座とボンドで固定されていることでその台座との連結強度は高くなる。
【００１１】
一方、本考案の法名碑には複数枚の法名板がネジ止めにて取付けられている。従って、人が新に亡くなった際、その人の戒名を追加する場合、ネジを弛めて法名板を取外し、この法名板に戒名などを刻印することが出来る。従って、従来のように大きくて重い法名碑を台座から外して搬出する作業は必要ない。さらに、法名碑の表面に戒名などを直接刻印するのではない為に、仮に間違えて刻印した場合には別の法名板を準備すればよい。
【実施例】
【００１２】
図１は本考案の法名碑を表す実施例である。同図の１は法名碑、２は台座を示し、該法名碑１は台座２の上に設置され、台座２は基礎の上に据付されている。そして、本考案では基礎の上に台座２が載り、その上に法名碑１が載置されているだけでなく、アンカーによって連結されている。
【００１３】
図２は法名碑１の基礎構造を表している。台座２から起立する２本のアンカー３，３は法名碑１に設けた穴に嵌入し、又基礎４から起立する２本のアンカー５，５は台座２に設けた穴を挿通して法名碑１に設けた穴に嵌っている。従って、４本のアンカー３，３，５，５によって法名碑１は台座２と連結している。さらに、台座２と法名碑１の間にはボンド６が塗布されて固着している。すなわち、コンクリート基礎４と台座２及び法名碑１がアンカー３，３，５，５を介して互いに連結した構造と成っている。そして、基礎４の上面にはモルタル層７を設けている。
【００１４】
一方、法名碑１の表面には複数枚の法名板８ａ，８ｂ，８ｃ・・が配列して取付けられている。これら法名板８ａ，８ｂ，８ｃ・・は細長い板状体であり、その上下端がネジ止めされて法名碑１の表面９に取付けられていて、ネジ１０，１０・・を弛めることで法名板８ａ，８ｂ・・を簡単に取外すことが出来る。
【００１５】
図３は法名板８の取付け構造を示す具体例であり、法名碑１にはネジ１０が埋め込まれてボンド１１にて固着されている。従って、ネジ１０は法名碑１の表面９から突出して水平に延びている。法名板８の上下端部には穴１２が設けられ、この穴１２にネジ１０が嵌って法名板８が取付けられる。そして、座金１３を嵌めてナット１４が締め付けて固定されている。
【００１６】
前記図１に示した法名碑１には１０枚の法名板８ａ，８ｂ，８ｃ・・が取付けられ、各法名板８ａ，８ｂ，８ｃ・・は配列している。そして、右側端の法名板８ａには戒名、逝去した日、及び享年が刻印されている。その他の法名板８ｂ，８ｃ・・・には何も刻印されていない。
【００１７】
そこで、家族がなくなった場合、２番目の法名板８ｂを取外し、この法名板８ｂに戒名、逝去した日、及び享年を刻印する。刻印された法名板８ｂは再び法名碑１の所定の位置に取付けることが出来る。１０枚全ての法名板８ａ，８ｂ，８ｃ・・が埋まってしまうならば、古い法名板８ａを処分することも出来る。
【図面の簡単な説明】
【００１８】
【図１】本考案に係る法名碑の実施例。
【図２】法名碑の据付け構造。
【図３】法名板の取付け構造。
【符号の説明】
【００１９】
１  法名碑
２  台座
３  アンカー
４  基礎
５  アンカー
６  ボンド
７  モルタル層
８  法名板
９  表面
10  ネジ
11  ボンド
12  穴
13  座金
14  ナット
【図１】
0003144344.tif 000003
【図２】
0003144344.tif 000004
【図３】
0003144344.tif 000005
【手続補正書】
【提出日】平成20年6月24日(2008.6.24)
【手続補正１】
【補正対象書類名】図面
【補正対象項目名】図１
【補正方法】変更
【補正の内容】
【図１】
0003144344.tif 000006